(57)【要約】【課題】長尺物の切断を必要としない場合にカッターガイドを邪魔にならない位置に適切に位置づけさせる。【解決手段】ベース体１の受け部材１１には横溝１１ｂと縦溝１１ｅとからなる支持溝１１ａと、支持端１１ｉをこの横溝１１ｂにおける溝前端１１ｃと溝後端１１ｄとの間に位置させる支持部１１ｈとが備えられている。支持溝１１ａの縦溝１１ｅの前方側に位置される溝壁１１ｇと支持部１１ｈの支持端１１ｉとにより、この縦溝１１ｅに軸部１０ｅを入り込ませたアーム１０が、その自由端１０ａを前方に向けた突出状態とされ、この突出状態から、アーム１０の軸部１０ｅを支持溝１１ａの横溝１１ｂの溝前端１１ｃに入り込ませるようにアーム１０を移動させることで、アーム１０がその自由端１０ａを下方に向けた垂下状態とされるようになっている。【選択図】図３
2006043825.tif 000002
【特許請求の範囲】
【請求項１】
シート状物やマット状物などの長尺物からなるロール体の巻回中心に通される軸体を備えて、このロール体を軸体を中心に回転させながらこのロール体から長尺物を所望の寸法分引き出し可能とした状態で略水平に支持するディスプレイ装置に備え付けられて、引き出された長尺物に対するその巾方向に沿った切断を補助するカッターガイドであって、
デイスプレイ装置の左右にそれぞれ配される、アームと、このアームの基端側の受け部材と、ディスプレイ装置への取り付け部材とを備えたベース体と、
この左右のベース体のアームの自由端間に支持されるガイド体とを有しており、
ガイド体は、前記引き出された長尺物を挟み込む一対の挟持体を有していると共に、この一対の挟持体には挟み込まれた長尺物の切断をなすカッターなどの刃体の案内溝が形成されており、
ベース体の受け部材には、前後方向に延びる横溝とこの横溝の溝後端に溝下端を連通させて上方に延びる縦溝とからなる支持溝と、
この支持溝を構成する横溝の下方に形成されると共に、支持端をこの横溝における溝前端と溝後端との間に位置させる支持部とが備えられており、
アームの基端には、支持溝に入れ込まれる軸部が設けられており、
支持溝の縦溝の前方側に位置される溝壁と支持部の支持端とにより、この縦溝に軸部を入り込ませたアームが、その自由端を前方に向けた突出状態とされ、
この突出状態から、アームの軸部を支持溝の横溝の溝前端に入り込ませるようにアームを移動させることで、アームがその自由端を下方に向けた垂下状態とされるようになっていることを特徴とするカッターガイド。
【請求項２】
受け部材の支持溝における横溝と縦溝との連通箇所が、アール状をなすコーナーを持つように構成されていることを特徴とする請求項１記載のカッターガイド。
【請求項３】
アームの軸部が、軸本体の外側に遊び嵌めされたスリーブを有していることを特徴とする請求項１又は請求項２記載のカッターガイド。
【発明の詳細な説明】
【技術分野】
【０００１】
この発明は、シート状物やマット状物などの長尺物からなるロール体を略水平に支持するディスプレイ装置に備え付けられて、このロール体から所望の寸法分引き出される長尺物のその引き出し部分をその場でロール体と分離させる切断を補助するために用いられるカッターガイドの改良に関する。
【背景技術】
【０００２】
シート状物やマット状物などの長尺物Ｓからなるロール体Ｒの巻回中心Ｒａに通される軸体Ｄａと、この軸体Ｄａの端部を支持する柱体Ｄｃとを備え、このロール体Ｒを軸体Ｄａを中心に回転させながらこのロール体Ｒから長尺物Ｓを所望の寸法分引き出し可能とした状態で略水平に支持するように構成されたディスプレイ装置Ｄに備えられるカッターガイドＧがある。（図７）
【０００３】
かかるカッターガイドＧは、デイスプレイ装置Ｄの左右にそれぞれ配されたベース体１００と、この左右のベース体１００、１００を構成するアーム１０１の自由端１０２間に支持されるガイド体２００とを有している。
【０００４】
ガイド体２００は、前記のように引き出された長尺物Ｓを挟み込む一対の挟持体２０１、２０１を有していると共に、この一対の挟持体２０１、２０１には挟み込まれた長尺物Ｓの切断をなすカッターなどの刃体の案内溝２０２が形成されている。そして、一対の挟持体２０１、２０１によって長尺物Ｓを挟み付けた状態において前記案内溝２０２に刃体を入れ込みこの案内溝２０２に沿って刃体を移動させることにより、この長尺物Ｓをその巾方向に沿ってこの挟み付け位置において仕上がり良く切断させることができるようになっている。
【０００５】
しかるに、この従来のカッターガイドＧにあっては、アーム１０１の基端が、このアーム１０１をデイスプレイ装置Ｄの前方に向けて突き出させるように、前記軸体Ｄａに対する吊り下げ棒体１０３に単純に固定されていた。しかるに、長尺物Ｓの切断を必要としない場合には、カッターガイドＧはこのように突き出し状に位置づけられる必要はなく、むしろ、ディスプレイ装置Ｄの周囲での長尺物Ｓの購買者などの歩行などの邪魔となるところである。
【発明の開示】
【発明が解決しようとする課題】
【０００６】
この発明が解決しようとする主たる問題点は、この種のディスプレイ装置に用いられるカッターガイドにおいて、この装置によって陳列される長尺物の切断を必要としない場合には、カッターガイドを邪魔にならない位置に適切に位置づけさせると共に、この切断を必要とする場合には容易かつ円滑にカッターガイドを構成するガイド体をこのガイド体を使った前記切断をし易い位置に安定的に位置づけさせることができるようにする点にある。
【課題を解決するための手段】
【０００７】
前記問題点を解決するために、この発明にあっては、カッターガイドを以下の（１）〜（８）の構成を備えたものとした。
（１）シート状物やマット状物などの長尺物からなるロール体の巻回中心に通される軸体を備えて、このロール体を軸体を中心に回転させながらこのロール体から長尺物を所望の寸法分引き出し可能とした状態で略水平に支持するディスプレイ装置に備え付けられて、引き出された長尺物に対するその巾方向に沿った切断を補助するカッターガイドであって、
（２）デイスプレイ装置の左右にそれぞれ配される、アームと、このアームの基端側の受け部材と、ディスプレイ装置への取り付け部材とを備えたベース体と、
（３）この左右のベース体のアームの自由端間に支持されるガイド体とを有しており、
（４）ガイド体は、前記引き出された長尺物を挟み込む一対の挟持体を有していると共に、この一対の挟持体には挟み込まれた長尺物の切断をなすカッターなどの刃体の案内溝が形成されており、
（５）ベース体の受け部材には、前後方向に延びる横溝とこの横溝の溝後端に溝下端を連通させて上方に延びる縦溝とからなる支持溝と、
この支持溝を構成する横溝の下方に形成されると共に、支持端をこの横溝における溝前端と溝後端との間に位置させる支持部とが備えられており、
（６）アームの基端には、支持溝に入れ込まれる軸部が設けられており、
（７）支持溝の縦溝の前方側に位置される溝壁と支持部の支持端とにより、この縦溝に軸部を入り込ませたアームが、その自由端を前方に向けた突出状態とされ、
（８）この突出状態から、アームの軸部を支持溝の横溝の溝前端に入り込ませるようにアームを移動させることで、アームがその自由端を下方に向けた垂下状態とされるようになっている。
【０００８】
かかる構成によれば、アームの軸部を支持溝の溝前端に位置させた状態では、アームの自由端がディスプレイ装置から前方に突き出さないようにすることができ、カッターガイドを使用する必要がない場合にはこのカッターガイドを邪魔にならない位置に位置づけさせることができる。
【０００９】
また、カッターガイドを使用する場合には、アームの軸部を支持溝の縦溝に入り込ませる位置まで、垂下しているアームの自由端を上方に持ち上げながらアームを後退移動させた後、アームの自由端をやや下方に下げながら基端を上方に持ち上げて軸部を支持溝の縦溝に入り込ませることにより、アームの自由端がディスプレイ装置から前方に突き出した状態をワンタッチで作り出すことができる。このように移動されて突出状態となったアームは、軸部を支持溝の縦溝の前方側に位置される溝壁に押しつけ、かつ、この軸部より前方に位置される箇所においてアームの下部を支持部の支持端に接しさせることから、このアームの突出状態は安定的に維持される。これにより、ガイド体をこれを利用した長尺物の切断をし易い位置に安定的に位置づけることができる。
【００１０】
前記受け部材の支持溝における横溝と縦溝との連通箇所を、アール状をなすコーナーを持つように構成させておくこともある。
【００１１】
このようにした場合、アームの軸部を縦溝に入り込ませた位置からのこの軸部を横溝に入り込ませるためのアームの移動、および、この軸部を横溝の溝前端に位置づけさせた位置からのこの軸部を縦溝に入り込ませるためのアームの移動において、軸部が前記連通箇所をスムースに乗り越えるようにすることができる。
【００１２】
前記アームの軸部が、軸本体の外側に遊び嵌めされたスリーブを有するようにしておくこともある。
【００１３】
このようにした場合、突出状態にあるアームを垂下状態にさせるアームの移動、および、垂下状態にあるアームを突出状態にさせるアームの移動にあたり、支持溝の溝壁に接するスリーブを回転させてこの支持溝内での軸部の移動をスムースに行わさせることができる。
【発明の効果】
【００１４】
この発明によれば、ディスプレイ装置によって陳列される長尺物の切断を必要としない場合には、カッターガイドを邪魔にならない位置に適切に位置づけさせることができると共に、この切断を必要とする場合には容易かつ円滑にカッターガイドを構成するガイド体をこのガイド体を使った前記切断をし易い位置に安定的に位置づけさせることができる。
【発明を実施するための最良の形態】
【００１５】
以下、図１ないし図６に基づいて、この発明を実施するための最良の形態について説明する。
【００１６】
なお、ここで図１は、カッターガイドＧの使用状態をディスプレイ装置Ｄの右側のみを表して示しており、また、図２および図３は、ディスプレイ装置Ｄを構成する柱体Ｄｃを省略した状態でカッターガイドＧを側方から見た状態として、図４は、かかるカッターガイドＧを正面から見た状態として、それぞれ示している。また、図５は、カッターガイドＧのみを斜視の状態として示しており、また、図６は、これを構成する各部品を分離させた状態として示している。
【００１７】
この実施の形態にかかるカッターガイドＧは、シート状物やマット状物などの長尺物Ｓからなるロール体Ｒを略水平に支持するディスプレイ装置Ｄに備え付けられて、このロール体Ｒから所望の寸法分引き出される長尺物Ｓのその引き出し部分Ｓａをその場でロール体Ｒと分離させる切断を補助するために用いられるものである。
【００１８】
かかる長尺物Ｓとしては、ロール状に巻回し得る可撓性を有し、前記ロール体Ｒとなった状態で小売店などにおいて陳列され、このロール体Ｒから所望の寸法分引き出されて切り売りされるものが予定される。例えば、カーペット、人工芝、リノリュームシート、ビニルクロスなどが予定される。
【００１９】
前記ディスプレイ装置Ｄは、かかる長尺物Ｓからなるロール体Ｒを小売店などにおいて陳列するために用いられるものである。
【００２０】
かかるディスプレイ装置Ｄは、典型的には、前記ロール体Ｒの巻回中心Ｒａに通される軸体Ｄａと、この軸体Ｄａの端部Ｄｂを支持する柱体Ｄｃとを備えている。そして、このロール体Ｒを軸体Ｄａを中心に回転させながらこのロール体Ｒから長尺物Ｓを所望の寸法分引き出し可能とした状態で略水平に支持するように構成される。
【００２１】
典型的には、かかるディスプレイ装置Ｄは、左右一対の柱体Ｄｃ、Ｄｃにそれぞれ、上向きに突き出すフック部Ｄｄを多段状に備えており、左側の柱体Ｄｃに設けたフック部Ｄｄとこれと同レベルにある右側の柱体Ｄｃに設けたフック部Ｄｄとにそれぞれ軸体Ｄａの端部Ｄｂを上方から入れ込み引っかけさせることにより、この軸体Ｄａを略水平に支持するようになっている。そして、このように支持された軸体Ｄａによって、ロール体Ｒが略水平に支持陳列されるようになっている。
【００２２】
この実施の形態にかかるカッターガイドＧは、かかるディスプレイ装置Ｄに備え付けられて、前記のように引き出された長尺物Ｓに対するその巾方向に沿った切断を補助するものである。
【００２３】
かかるカッターガイドＧは、ベース体１と、ガイド体２とから構成されている。
【００２４】
ベース体１は、ディスプレイ装置Ｄの左右にそれぞれ配されている。左右のベース体１はそれぞれ、アーム１０と、このアーム１０の基端１０ｂ側の受け部材１１と、ディスプレイ装置Ｄへの取り付け部材１２とを備えている。
【００２５】
一方、ガイド体２は、かかる左右のベース体１のアーム１０の自由端１０ａ間に支持されるようになっている。
【００２６】
かかるガイド体２は、前記引き出された長尺物Ｓを挟み込む一対の挟持体２０、２０を有していると共に、この一対の挟持体２０、２０には挟み込まれた長尺物Ｓの切断をなすカッターなどの刃体の案内溝２１が形成されている。
【００２７】
図示の例にあっては、一対の挟持体２０、２０はそれぞれ、前記案内溝２１となる隙間を空けて並設された一対の角パイプ２２、２２によって構成されている。一対の挟持体２０、２０の一方は、かかる一対の角パイプ２２、２２の左端部を左側のベース体１のアーム１０の自由端１０ａ側の前面１０ｃに止着させると共に、かかる一対の角パイプ２２、２２の右端部を右側のベース体１のアーム１０の自由端１０ａ側の前面１０ｃに止着させることにより、一対のアーム１０、１０間に架設されている。一方、一対の挟持体２０、２０の他方は、一対の角パイプ２２、２２の左右両端部にそれぞれ止着された連結板２３の一端をアーム１０の自由端１０ａに設けたヒンジ構成部１０ｄを介してこの自由端１０ａに回動可能に接合させることにより、一対のアーム１０、１０間に架設されている。そして、図示の例では、一方の挟持体２０の挟持面２４と他方の挟持体２０の挟持面２４とが重なり合った挟持位置から、これを離れ出させた離隔位置までの間で、前記ヒンジ部１０ｄを中心に他方の挟持体２０を回動させることができるようになっている。それと共に、前記挟持位置においては、一方の挟持体２０の案内溝２１と他方の挟持体２０の案内溝２１とが連通し合うようになっている。これにより図示の例では、前記ロール体Ｒから長尺物Ｓを他方の挟持体２０を離隔位置においた状態で（図５）一方の挟持体２０と他方の挟持体２０との間を通して引き出させた後、他方の挟持体２０を挟持位置に回動させることによりこの長尺物Ｓを挟み付けることができると共に、この挟み付け状態において前記案内溝２１に刃体を入れ込みこの案内溝２１に沿って刃体を移動させることにより、この長尺物Ｓをその巾方向に沿ってこの挟み付け位置において仕上がり良く切断させることができるようになっている。（図２）
【００２８】
一方、ベース体１は、図示の例にあっては、上端に下方に突き出すフック部１２ｂを備えた吊り下げ棒体１２ａを有しており、前記軸体Ｄａにおけるロール体Ｒの端部Ｒｂから突き出された箇所にこのフック部１２ｂを上方から引っかけることにより、ディスプレイ装置Ｄにベース体１、つまり、カッターガイドＧが備え付けられるようになっている。すなわち、図示の例にあっては、かかる吊り下げ棒体１２ａが前記取り付け部材１２として機能するようになっている。
【００２９】
図示の例では、かかる吊り下げ棒体１２ａの上端側に受け部材１１が備え付けられている。かかる受け部材１１には、前後方向に延びる横溝１１ｂとこの横溝１１ｂの溝後端１１ｄに溝下端１１ｆを連通させて上方に延びる縦溝１１ｅとからなる支持溝１１ａと、
この支持溝１１ａを構成する横溝１１ｂの下方に形成されると共に、支持端１１ｉをこの横溝１１ｂにおける溝前端１１ｃと溝後端１１ｄとの間に位置させる支持部１１ｈとが備えられている。
【００３０】
図示の例では、かかる受け部材１１は、側面視の状態で略Ｌ字状をなすプレート状をなす基板１１ｋを有している。そして、かかる受け部材１１は、この基板１１ｋの板面を鉛直方向に沿わせるようにして、その後端縁１１ｎを吊り下げ棒体１２ａに溶接などによって止着させることにより、かかる吊り下げ棒体１２ａから前方に突き出すように取り付けられている。そして、このように取り付けられた基板１１ｋの前端側から後端側に向けて横溝１１ｂが貫通状態に形成され、この横溝１１ｂの溝後端１１ｄから上方に向けて縦溝１１ｅが貫通状態に形成されている。また、図示の例では、かかる基板１１ｋの下縁部に前記支持部１１ｈが形成されている。かかる支持部１１ｈは、基板１１ｋにおける他方のベース体１に向き合わない側の外面に略直交する向きに板面を配する板状をなすように構成され、他方のベース体１に向き合わない側に向けて突き出すように形成されていると共に、基板１１ｋの前端との間に間隔を開けた位置から始まり基板１１ｋの後端まで続いている。図示の例では、この支持部１１ｈの前端が前記支持端１１ｉとなるようにしてあると共に、支持溝１１ａの横溝１１ｂの溝前端１１ｃに後述するアーム１０の軸部が位置された状態において、この支持端１１ｉがアーム１０の垂下状態を妨げないように、支持部１１ｈが形成されている。
【００３１】
一方、図示の例にあっては、アーム１０は、角柱状をなすように構成されている。そして、このアーム１０の基端１０ｂには、前記支持溝１１ａに入れ込まれる軸部１０ｅが設けられている。
【００３２】
図示の例では、かかるアーム１０は、このアーム１０の基端１０ｂに形成された軸穴１０ｍを支持溝１１ａに連通させた状態で、この軸穴１０ｍと支持溝１１ａに軸部１０ｅを通すことにより、その長さ方向に沿った四面の内の一面１０ｊを受け部材１１の基板１１ｋの外面に接しさせるようにして、受け部材１１に組み合わされている。
【００３３】
そして、この支持溝１１ａの縦溝１１ｅの前方側に位置される溝壁１１ｇと支持部１１ｈの支持端１１ｉとにより、この縦溝１１ｅに軸部１０ｅを入り込ませたアーム１０が、その自由端１０ａを前方に向けた突出状態とされ、（図１および図２）
この突出状態から、アーム１０の軸部１０ｅを支持溝１１ａの横溝１１ｂの溝前端１１ｃに入り込ませるようにアーム１０を移動させることで、アーム１０がその自由端１０ａを下方に向けた垂下状態とされるようになっている。（図３および図４）
【００３４】
これにより、この実施の形態にかかるカッターガイドＧにあっては、アーム１０の軸部１０ｅを支持溝１１ａの溝前端１１ｃに位置させた状態では、アーム１０の自由端１０ａがディスプレイ装置Ｄから前方に突き出さないようにすることができ、カッターガイドＧを使用する必要がない場合にはこのカッターガイドＧを邪魔にならない位置に位置づけさせることができる。
【００３５】
また、カッターガイドＧを使用する場合には、アーム１０の軸部１０ｅを支持溝１１ａの縦溝１１ｅに入り込ませる位置まで垂下しているアーム１０の自由端１０ａを上方に持ち上げ略水平としながらアーム１０を後退移動させた後、アーム１０の自由端１０ａをやや下方に下げながら基端１０ｂを上方に持ち上げて軸部１０ｅを支持溝１１ａの縦溝１１ｅに入り込ませることにより、アーム１０の自由端１０ａがディスプレイ装置Ｄから前方に突き出した状態をワンタッチで作り出すことができる。このように移動されて突出状態となったアーム１０は、軸部１０ｅを支持溝１１ａの縦溝１１ｅの前方側に位置される溝壁１１ｇに押しつけ、かつ、この軸部１０ｅより前方に位置される箇所においてアーム１０の下部を支持部１１ｈの支持端１１ｉに接しさせることから、このアーム１０の突出状態は安定的に維持される。これにより、ガイド体２をこれを利用した長尺物Ｓの切断をし易い位置に安定的に位置づけることができる。
【００３６】
カッターガイドＧの使用が済んだ後は、アーム１０の自由端１０ａを上方にやや持ち上げてアーム１０の下部と支持部１１ｈの支持端１１ｉとの当接を解いた後、アーム１０の軸部１０ｅを支持溝１１ａの横溝１１ｂの溝前端１１ｃに再び位置づける位置までアーム１０を前方に移動させれば、この溝前端１１ｃをいわば軸受けとしてアーム１０はその自由端１０ａを下方に向ける垂下状態にワンタッチで移行される。
【００３７】
図示の例では、アーム１０の軸部１０ｅとアーム１０の背面１０ｋとの間のピッチに対し支持溝１１ａの横溝１１ｂの溝前端１１ｃと支持部１１ｈの支持端１１ｉとの間のピッチが略等しいかそれよりも大きく、かつ、アーム１０の軸部１０ｅとアーム１０の背面１０ｋとの間のピッチに対し支持溝１１ａの横溝１１ｂと支持部１１ｈの上面１１ｊとの間のピッチが略等しいかそれよりも大きくなっている。これにより、アーム１０は垂下状態になるようになっていると共に、この垂下状態にあるアーム１０を略水平状態まで回動させることにより後方に移動させることができ、略水平状態で後方に移動させたアーム１０の自由端１０ａを下方にやや下げるように移動させることで、軸部１０ｅを支持溝１１ａの縦溝１１ｅに入り込ませ、かつ、このアーム１０の下部を支持部１１ｈの支持端１１ｉで支えることができるようになっている。
【００３８】
また、図示の例では、受け部材１１の支持溝１１ａにおける横溝１１ｂと縦溝１１ｅとの連通箇所が、アール状をなすコーナーを持つように構成されている。
【００３９】
すなわち、図示の例にあっては、支持溝１１ａの前記連通箇所がアール状をなすコーナー内隅１１ｍと外隅１１ｏとを持つようになっている。
【００４０】
これにより、アーム１０の軸部１０ｅを縦溝１１ｅに入り込ませた位置からのこの軸部１０ｅを横溝１１ｂに入り込ませるためのアーム１０の移動、および、この軸部１０ｅを横溝１１ｂの溝前端１１ｃに位置づけさせた位置からのこの軸部１０ｅを縦溝１１ｅに入り込ませるためのアーム１０の移動において、軸部１０ｅが前記連通箇所をスムースに乗り越えることができるようになっている。
【００４１】
また、図示の例では、アーム１０の軸部１０ｅが、軸本体の外側に遊び嵌めされたスリーブ１０ｆを有している。
【００４２】
すなわち、図示の例では、アーム１０の軸部１０ｅが、支持溝１１ａとアーム１０の基端１０ｂに形成された軸穴１０ｍとにワッシャー１０ｇを介して通されて袋ナット１０ｈによって締め付けられる軸本体となるボルト１０ｉによって構成されていると共に、このボルト１０ｉにおける支持溝１１ａ内に位置される箇所にスリーブ１０ｆが遊嵌されている。
【００４３】
これにより、突出状態にあるアーム１０を垂下状態にさせるアーム１０の移動、および、垂下状態にあるアーム１０を突出状態にさせるアーム１０の移動にあたり、支持溝１１ａの溝壁に接するスリーブ１０ｆを回転させてこの支持溝１１ａ内での軸部１０ｅの移動をスムースに行わさせることができる。
【００４４】
なお、図示の例では、アーム１０の自由端１０ａの末端および吊り下げ棒体１２ａの下端に球状をなすカバー１０ｎ、１２ｃが取り付けられている。これにより、この末端および下端に購買者や店員などが予期せず接触しても支障がないようになっている。かかるカバー１０ｎ、１２ｃをゴムやゴム状弾性を備えたプラスチックなどの軟質材で構成しておけば、こうした効果をより高めることができる。また、かかるカバー１０ｎを蛍光色などで着色しておけば、突出状態にあるアーム１０を認識させ易くすることができる。
【図面の簡単な説明】
【００４５】
【図１】カッターガイドＧの使用状態を示す斜視図（アーム１０突出状態）
【図２】同側面図（アーム１０突出状態）
【図３】同側面図（アーム１０垂下状態）
【図４】同平面図（アーム１０垂下状態）
【図５】カッターガイドＧの斜視図
【図６】同分解斜視図
【図７】従来例の使用状態を示した斜視図
【符号の説明】
【００４６】
Ｓ  長尺物
Ｒ  ロール体
Ｒａ  巻回中心
Ｄ  ディスプレイ装置
Ｄａ  軸体
１  ベース体
１０  アーム
１０ａ  自由端
１０ｂ  基端
１０ｅ  軸部
１１  受け部材
１１ａ  支持溝
１１ｂ  横溝
１１ｃ  溝前端
１１ｄ  溝後端
１１ｅ  縦溝
１１ｆ  溝下端
１１ｇ  溝壁
１１ｈ  支持部
１１ｉ  支持端
２  ガイド体
２０  挟持体
２１  案内溝
【図１】
2006043825.tif 000003
【図２】
2006043825.tif 000004
【図３】
2006043825.tif 000005
【図４】
2006043825.tif 000006
【図５】
2006043825.tif 000007
【図６】
2006043825.tif 000008
【図７】
2006043825.tif 000009